【手続補正書】
【提出日】平成19年5月15日(2007.5.15)
【手続補正１】
【補正対象書類名】明細書
【補正対象項目名】特許請求の範囲
【補正方法】変更
【補正の内容】
【特許請求の範囲】
【請求項１】  タブ紙を給紙・搬送し、搬送された該タブ紙のタブに画像を印刷する機能を有する画像形成装置において、
複数の前記タブ紙に印刷するべき複数の画像を１枚の原稿に記載したタブ印刷データを読み込ませる読み込み手段と、
前記読み込み手段で読み込んだ複数のタブ印刷データを前記複数のタブ紙のタブに分配して印刷するタブ画像移動印刷手段と
を具備することを特徴とする画像形成装置。
【請求項２】  前記タブ画像移動印刷手段は、
各々のタブ紙のタブの数によって異なるタブの位置、およびタブの縦幅と同じ幅の領域にある原稿上の画像を検知する検知手段と、
該検知手段で検知した前記画像を自動的に平行移動して前記タブ上に印刷するタブ幅領域画像平行移動印刷手段と
を有することを特徴とする請求項１に記載の画像形成装置。
【請求項３】  前記タブ画像移動印刷手段は、原稿上でタブの縦幅と同じ幅の領域内に複数記載されたタブ印刷データを、順次タブ上に印刷することを特徴とする請求項１に記載の画像形成装置。
【請求項４】  前記タブ画像移動印刷手段は、原稿の最上面から何ページまでがタブへの印刷用の原稿か、タブ紙の種類は何か、タブ紙のみの印刷か、何ページ目にタブ紙を挿入したいかの少なくともいずれかを含む処理条件を設定する設定手段を有することを特徴とする請求項１ないし３のいずれかに記載の画像形成装置。
【請求項５】  前記タブ画像移動印刷手段は、
前記設定手段により設定されたタブ紙の種類に応じてタブの縦幅、位置を決定し、原稿が記憶されているメモリのアドレスをタブ紙の種類別に領域分割する領域分割手段と、
前記設定手段により設定されたタブ紙挿入ページになったら、前記領域分割手段で分割されたメモリアドレス領域の１エリア内において画像データがある領域を検出する画像エリア検出手段と、
前記エリア検出手段の検出に応じて、読み出しタイミング制御によって前記メモリから画像データを読出し、書き込みタイミング信号を制御することによりタブの位置に合わせて書き込みを行い、タブ紙のタブへの印刷を行う印刷実行手段と
を有することを特徴とする請求項４に記載の画像形成装置。
【請求項６】  前記タブ画像移動印刷手段は、
前記設定手段により設定されたタブ紙の種類に応じてタブのサイズ、位置を決定し、予め定めた設計仕様から原稿が記憶されているメモリのアドレスを領域分割する領域分割手段と、
前記設定手段により設定されたタブ紙挿入ページになったら、前記領域分割手段で分割されたメモリアドレスのうち所定の順序にしたがって読み出しタイミング制御によって前記メモリから画像データを読出し、書き込みタイミング信号を制御することによりタブの位置に合わせて書き込みを行い、タブ紙のタブへの印刷を行う印刷実行手段と
を有することを特徴とする請求項４に記載の画像形成装置。
【請求項７】  タブ紙を給紙・搬送し、搬送された該タブ紙のタブに画像を印刷する機能を有する画像形成装置の画像形成方法において、
複数の前記タブ紙に印刷するべき複数の画像を１枚の原稿に記載したタブ印刷データを読み込ませる読み込みステップと、
前記読み込みステップで読み込んだ複数のタブ印刷データを前記複数のタブ紙のタブに分配して印刷するタブ画像移動印刷ステップと
を有することを特徴とする画像形成方法。
【請求項８】  前記タブ画像移動印刷ステップは、
各々のタブ紙のタブの数によって異なるタブの位置、およびタブの縦幅と同じ幅の領域にある原稿上の画像を検知する検知ステップと、
該検知ステップで検知した前記画像を自動的に平行移動して前記タブ上に印刷するタブ幅領域画像平行移動印刷ステップと
を有することを特徴とする請求項７に記載の画像形成方法。
【請求項９】  前記タブ画像移動印刷ステップでは、原稿上でタブの縦幅と同じ幅の領域内に複数記載されたタブ印刷データを、順次タブ上に印刷することを特徴とする請求項７に記載の画像形成方法。
【請求項１０】  前記タブ画像移動印刷ステップは、原稿の最上面から何ページまでがタブへの印刷用の原稿か、タブ紙の種類は何か、タブ紙のみの印刷か、何ページ目にタブ紙を挿入したいかの少なくともいずれかを含む処理条件を設定する設定ステップを有することを特徴とする請求項７ないし９のいずれかに記載の画像形成方法。
【請求項１１】  前記タブ画像移動印刷ステップは、
前記設定ステップで設定されたタブ紙の種類に応じてタブの縦幅、位置を決定し、原稿が記憶されているメモリのアドレスをタブ紙の種類別に領域分割する領域分割ステップと、
前記設定ステップで設定されたタブ紙挿入ページになったら、前記領域分割ステップで分割されたメモリアドレス領域の１エリア内において画像データがある領域を検出する画像エリア検出ステップと、
前記エリア検出ステップでの検出に応じて、読み出しタイミング制御によって前記メモリから画像データを読出し、書き込みタイミング信号を制御することによりタブの位置に合わせて書き込みを行い、タブ紙のタブへの印刷を行う印刷実行ステップと
を有することを特徴とする請求項１０に記載の画像形成方法。
【請求項１２】  前記タブ画像移動印刷ステップは、
前記設定ステップで設定されたタブ紙の種類に応じてタブのサイズ、位置を決定し、予め定めた設計仕様から原稿が記憶されているメモリのアドレスを領域分割する領域分割ステップと、
前記設定ステップで設定されたタブ紙挿入ページになったら、前記領域分割ステップで分割されたメモリアドレスのうち所定の順序にしたがって読み出しタイミング制御によって前記メモリから画像データを読出し、書き込みタイミング信号を制御することによりタブの位置に合わせて書き込みを行い、タブ紙のタブへの印刷を行う印刷実行ステップと
を有することを特徴とする請求項１０に記載の画像形成方法。
【請求項１３】  タブ紙を給紙・搬送し、搬送された該タブ紙のタブに画像を印刷する機能を有する画像形成装置をコンピュータにより制御するための画像形成プログラムを記録した記録媒体であって、該プログラムはコンピュータに対し、
複数の前記タブ紙に印刷するべき複数の画像を１枚の原稿に記載したタブ印刷データを読み込ませ、
読み込んだ複数のタブ印刷データを前記複数のタブ紙のタブに分配して印刷させることを特徴とする画像形成プログラムを記録した記録媒体。
【請求項１４】  前記プログラムはコンピュータに対し、
各々のタブ紙のタブの数によって異なるタブの位置、およびタブの縦幅と同じ幅の領域にある原稿上の画像を検知させ、
検知した前記画像を自動的に平行移動して前記タブ上に印刷させることを特徴とする請求項１３に記載の画像形成プログラムを記録した記録媒体。
【請求項１５】  前記プログラムはコンピュータに対し、
原稿上でタブの縦幅と同じ幅の領域内に複数記載されたタブ印刷データを、順次タブ上に印刷させることを特徴とする請求項１３に記載の画像形成プログラムを記録した記録媒体。
【請求項１６】  前記プログラムはコンピュータに対し、
原稿の最上面から何ページまでがタブへの印刷用の原稿か、タブ紙の種類は何か、タブ紙のみの印刷か、何ページ目にタブ紙を挿入したいかの少なくともいずれかを含む処理条件を設定させることを特徴とする請求項１３ないし１５のいずれかに記載の画像形成プログラムを記録した記録媒体。
【請求項１７】  前記プログラムはコンピュータに対し、
設定されたタブ紙の種類に応じてタブの縦幅、位置を決定させ、原稿が記憶されているメモリのアドレスをタブ紙の種類別に領域分割させ、
設定されたタブ紙挿入ページになったら、前記分割されたメモリアドレス領域の１エリア内において画像データがある領域を検出させ、
該検出に応じて、読み出しタイミング制御によって前記メモリから画像データを読出させ、書き込みタイミング信号を制御することでタブの位置に合わせて書き込みを行わせ、タブ紙のタブへの印刷を行わせることを特徴とする請求項１６に記載の画像形成プログラムを記録した記録媒体。
【請求項１８】  前記プログラムはコンピュータに対し、
設定されたタブ紙の種類に応じてタブのサイズ、位置を決定させ、予め定めた設計仕様から原稿が記憶されているメモリのアドレスを領域分割させ、
設定されたタブ紙挿入ページになったら、前記分割されたメモリアドレスのうち所定の順序にしたがって読み出しタイミング制御で前記メモリから画像データを読出させ、書き込みタイミング信号を制御することでタブの位置に合わせて書き込みを行わせ、タブ紙のタブへの印刷を行わせる特徴とする請求項１６に記載の画像形成プログラムを記録した記録媒体。